(57)【要約】  【課題】  小型化及び低コスト化を図ることができるファイルサーバ装置を提供すること。  【解決手段】  ＳＤメモリカード３０とデータを授受するメモリカードＩＦ２１と、文書データを記憶するＨＤＤ２２と、データ取得ＩＤコードを記憶する不揮発メモリ２３と、プリンタ機能、コピー機能、ファクシミリ機能等を実現するエンジン２４と、ネットワーク４０とデータを授受するネットワークＩＦ２５と、装置全体の動作を制御するＣＰＵ２６とを備える構成とし、ＣＰＵ２６は、ＳＤメモリカードに記憶されたデータ取得ＩＤコードと不揮発メモリ２３に記憶されたデータ取得ＩＤコードとが一致したとき、文書データに対するアクセスを制限するアクセス制限回数データをＳＤメモリカード３０に記録するようにした。【選択図】  図１
2005092433.tif 000002
【特許請求の範囲】
【請求項１】
認証情報を記憶した記憶媒体を接続する記憶媒体接続手段と、
データを記憶するデータ記憶手段と、
前記認証情報が予め設定された設定認証情報と一致したとき、前記データ記憶手段に記憶された前記データに対するアクセス回数を制限する制限回数データを前記記憶媒体に書込む制限回数書込手段とを備えたことを特徴とするファイルサーバ装置。
【請求項２】
ネットワークに接続された端末装置と通信する通信手段を備え、
前記通信手段は、前記端末装置から前記制限回数データを取得することを特徴とする請求項１に記載のファイルサーバ装置。
【請求項３】
前記データ記憶手段は、前記データを記憶するフォルダを有し、前記フォルダの認証情報、前記設定認証情報及び前記記憶媒体に前記認証情報を記憶する際に必要な認証情報のうち少なくとも一つを前記フォルダに記憶することを特徴とする請求項１又は請求項２に記載のファイルサーバ装置。
【請求項４】
前記設定認証情報は、前記記憶媒体を使用する使用者の個人識別情報と所定の識別情報とに基づいて設定されることを特徴とする請求項１から請求項３までのいずれかに記載のファイルサーバ装置。
【請求項５】
前記設定認証情報は、前記データに対するアクセスを許容する許容時間情報と所定の識別情報とに基づいて設定されることを特徴とする請求項１から請求項４までのいずれかに記載のファイルサーバ装置。
【請求項６】
前記許容時間情報に基づいて前記データを前記記憶媒体にダウンロードするか否かを判断するダウンロード判断手段を備えたことを特徴とする請求項５に記載のファイルサーバ装置。
【発明の詳細な説明】
【技術分野】
【０００１】
本発明は、例えば文書ファイルを記憶するファイルサーバ装置に関する。
【背景技術】
【０００２】
従来のファイルサーバ装置は、ファイルを格納するＡサーバと、ネットワークを介してＡサーバに接続されたパーソナルコンピュータと、パーソナルコンピュータに接続されたＩＣカードリーダライタとを備え、ＩＣカードによって利用者を認証することにより、Ａサーバ内の機密文書の閲覧、複写等を防止するようになっている（例えば、特許文献１参照。）。
【特許文献１】特開２００２−２５９２２５号公報（第３−４頁、第１図）
【発明の開示】
【発明が解決しようとする課題】
【０００３】
しかしながら、このような従来のファイルサーバ装置では、利用者を認証するためのＩＣカードリーダライタが必要になるので、装置の小型化及び低コスト化が図れないという問題があった。
【０００４】
本発明は、このような問題を解決するためになされたものであり、小型化及び低コスト化を図ることができるファイルサーバ装置を提供するものである。
【課題を解決するための手段】
【０００５】
本発明のファイルサーバ装置は、認証情報を記憶した記憶媒体を接続する記憶媒体接続手段と、データを記憶するデータ記憶手段と、前記認証情報が予め設定された設定認証情報と一致したとき、前記データ記憶手段に記憶された前記データに対するアクセス回数を制限する制限回数データを前記記憶媒体に書込む制限回数書込手段とを備えたことを特徴とする構成を有している。
【０００６】
この構成により、制限回数書込手段は、認証情報が予め設定された設定認証情報と一致したとき、データ記憶手段に記憶されたデータに対するアクセス回数を制限する制限回数データを記憶媒体に書込むので、従来利用者の認証に使用されていたＩＣカードリーダライタが不要になり、小型化及び低コスト化を図ることができる。
【０００７】
また、本発明のファイルサーバ装置は、ネットワークに接続された端末装置と通信する通信手段を備え、前記通信手段は、前記端末装置から前記制限回数データを取得することを特徴とする構成を有している。
【０００８】
この構成により、ネットワークに接続された端末装置において制限回数を設定することができる。
【０００９】
また、本発明のファイルサーバ装置は、前記データ記憶手段は、前記データを記憶するフォルダを有し、前記フォルダの認証情報、前記設定認証情報及び前記記憶媒体に前記認証情報を記憶する際に必要な認証情報のうち少なくとも一つを前記フォルダに記憶することを特徴とする構成を有している。
【００１０】
この構成により、認証情報による認証を行うことによって機密データを保護することができる。
【００１１】
また、本発明のファイルサーバ装置は、前記設定認証情報は、前記記憶媒体を使用する使用者の個人識別情報と所定の識別情報とに基づいて設定されることを特徴とする構成を有している。
【００１２】
この構成により、記憶媒体接続手段に記憶媒体が接続されたとき、記憶媒体の使用者を認証し、使用者を把握することができるので、データにアクセスした使用者の履歴を保存することができる。
【００１３】
また、本発明のファイルサーバ装置は、前記設定認証情報は、前記データに対するアクセスを許容する許容時間情報と所定の識別情報とに基づいて設定されることを特徴とする構成を有している。
【００１４】
この構成により、データに対するアクセスを許容する時間帯を設定することができるので、設定された時間帯以外でのアクセスを排除することができる。
【００１５】
また、本発明のファイルサーバ装置は、前記許容時間情報に基づいて前記データを前記記憶媒体にダウンロードするか否かを判断するダウンロード判断手段を備えたことを特徴とする構成を有している。
【００１６】
この構成により、ダウンロード判断手段は、データに対するアクセスを許容する時間帯内であれば、データを記憶媒体にダウンロードすることができる。
【発明の効果】
【００１７】
本発明は、認証情報が予め設定された設定認証情報と一致したとき、データ記憶手段に記憶されたデータに対するアクセス回数を制限する制限回数データを記憶媒体に書込む制限回数書込手段を設けることにより、小型化及び低コスト化を図ることができるという効果を有するファイルサーバ装置を提供することができるものである。
【発明を実施するための最良の形態】
【００１８】
以下、本発明の実施の形態について、図面を参照して説明する。なお、本発明のファイルサーバ装置をマルチファンクションシステムに適用した例を挙げて説明する。
【００１９】
（第１の実施の形態）
まず、本実施の形態のマルチファンクションシステムの構成について説明する。
【００２０】
図１に示すように、本実施の形態のマルチファンクションシステム１０は、プリンタ機能、コピー機能、ファクシミリ機能等を実現するマルチファンクション装置２０と、データを記憶するＳＤ（Secure Digital）メモリカード３０と、マルチファンクション装置２０とホスト端末装置５０とを接続するネットワーク４０と、システム管理者及びシステム利用者が使用するホスト端末装置５０とを備えている。なお、図１には、ＳＤメモリカード３０を一つしか図示していないが、システム利用者が複数いる場合は、システム利用者はそれぞれＳＤメモリカード３０を所有しているものとする。また、ホスト端末装置５０は複数でもよい。
【００２１】
マルチファンクション装置２０は、ＳＤメモリカード３０とデータを授受するメモリカードＩＦ（Interface）２１と、文書データを記憶するＨＤＤ（Hard Disk Drive）２２と、データ取得ＩＤ（Identification Data）コードを記憶する不揮発メモリ２３と、プリンタ機能、コピー機能、ファクシミリ機能等を実現するエンジン２４と、ネットワーク４０とデータを授受するネットワークＩＦ２５と、装置全体の動作を制御するＣＰＵ２６とを備えている。
【００２２】
ＳＤメモリカード３０は、例えば、縦３２ｍｍ、横２４ｍｍ、厚さ２．１ｍｍのサイズのパッケージで構成されている。メモリカードＩＦ２１は、ＳＤメモリカード３０を着脱するコネクタ及び信号を処理するインターフェイス回路（共に図示せず）を備えている。ＳＤメモリカード３０は前述のようなサイズなので、メモリカードＩＦ２１をプリント基板に実装する際の実装スペースは、従来のＩＣカードリーダライタのインターフェイスの実装スペースよりも極めて小さくすることができ、実装スペースの削減化を図ることができる。
【００２３】
ＨＤＤ２２は、図２に示すように、例えば、複数ｎ個の文書データ（１〜ｎ）を記憶する記憶領域６０を有している。記憶領域６０は、文書データをそれぞれ記憶するフォルダ６１（６１ａ〜６１ｎ）で構成されている。また、フォルダ６１は、それぞれＩＤを格納するＩＤ格納エリア６２（６２ａ〜６２ｎ）で構成されている。ＩＤ格納エリア６２には、フォルダＩＤコード６３（６３ａ〜６３ｎ）、データ取得ＩＤコード６４（６４ａ〜６４ｎ）及びメモリカードＩＤコード６５（６５ａ〜６５ｎ）が格納されている。
【００２４】
ここで、フォルダＩＤコード６３とは、システム管理者又はシステム利用者がフォルダ６１にアクセスするためのＩＤコードをいう。また、データ取得ＩＤコード６４とは、システム利用者が文書データを閲覧したり、ＳＤメモリカード３０にダウンロードしたりする際に照合されるＩＤコード（設定認証情報）をいう。また、メモリカードＩＤコード６５とは、システム管理者がデータ取得ＩＤコード６４をＳＤメモリカード３０に記憶する際に照合されるＩＤコードをいう。なお、各ＩＤコードは、例えば英数字の組み合わせにより構成されている。
【００２５】
システム管理者は、ＨＤＤ２２内の各フォルダにアクセスできるシステム利用者をフォルダ毎に決定することができる。例えば、システム管理者は、システム利用者Ａをフォルダ６１ａ及びフォルダ６１ｂにアクセスできるよう設定し、システム利用者Ｂをフォルダ６１ｂにアクセスできるよう設定することができる。この場合システム管理者は、フォルダ６１ａのデータ取得ＩＤコード６４ａ及びフォルダ６１ｂのデータ取得ＩＤコード６４ｂをシステム利用者Ａが所有するＳＤメモリカード３０に書込み、また、フォルダ６１ｂのデータ取得ＩＤコード６４ｂをシステム利用者Ｂが所有するＳＤメモリカード３０に書込むことができるようになっている。
【００２６】
不揮発メモリ２３は、図３に示すように、リアルタイムクロックによって取得される時刻データ７１と、ＳＤメモリカード３０を所有するシステム利用者の個人識別ＩＤコード７２と、ＨＤＤ２２内の文書データに対するアクセス回数を制限するアクセス制限回数データ７３とを記憶している。なお、アクセス制限回数データ７３は、システム利用者毎に、又はフォルダ６１毎に設定することができる。
【００２７】
ＳＤメモリカード３０は、図４に示すように、ＳＤメモリカード３０の動作を制御するコントロールＩＣ８１と、ＲＯＭ８２と、フラッシュメモリ８３とを備えている。ＲＯＭ８２は、ＳＤメモリカード３０の製造シリアル番号を表すシリアルＩＤコード８２ａ及びＳＤメモリカード３０が製造された製造日時データ８２ｂとを備えている。フラッシュメモリ８３は、データ取得ＩＤコード６４及びメモリカードＩＤコード６５を格納するＩＤ格納エリア８３ａと、アクセス制限回数データ７３を格納する回数格納エリア８３ｂと、例えば文書データを格納するデータ格納エリア８３ｃとを備えている。
【００２８】
ホスト端末装置５０は、例えばパーソナルコンピュータで構成される。システム利用者はホスト端末装置５０を操作することによって、作成した文書データをＨＤＤ２２に保存したり、保存した文書データをマルチファンクション装置２０で印刷したりすることができるようになっている。また、システム管理者は、ホスト端末装置５０を操作することによって、ＨＤＤ２２のＩＤ格納エリア６２内の各ＩＤコードを設定したり、ＳＤメモリカード３０のＩＤ格納エリア８３ａ内の各ＩＤコードを設定したりすることができるようになっている。
【００２９】
次に、本実施の形態のマルチファンクションシステム１０の動作について、図５及び図６を参照して説明する。
【００３０】
最初に図５を参照し、システム管理者がホスト端末装置５０を操作することによって、データ取得ＩＤコード６４がＳＤメモリカード３０に書込みされるステップについて説明する。
【００３１】
図５において、まず、ＳＤメモリカード３０がメモリカードＩＦ２１に装着される（ステップＳ１１）。次いで、ＳＤメモリカード３０を所有するシステム利用者のアクセスを許可するフォルダが選択される（ステップＳ１２）。続いて、選択されたフォルダのＩＤコードが入力され（ステップＳ１３）、フォルダが開かれる。例えば、ステップＳ１２において、図２に示された文書データ２が記憶されたフォルダ６１ｂが選択されたとき、フォルダＩＤコード６３ｂが入力され、フォルダ６１ｂが開かれる。
【００３２】
引き続き、メモリカードＩＤコード６５が取得される（ステップＳ１４）。そして、メモリカードＩＤコード６５が入力され（ステップＳ１５）、ＳＤメモリカード３０のフラッシュメモリ８３が開かれる。すなわち、フラッシュメモリ８３が有するＩＤ格納エリア８３ａ、回数格納エリア８３ｂ、データ格納エリア８３ｃが開かれ、各ＩＤコード又はデータの読取り及び書込みができる状態に設定される。
【００３３】
次いで、データ取得ＩＤコード６４が作成される（ステップＳ１６）。データ取得ＩＤコード６４は、例えば、ＳＤメモリカード３０のＩＤ格納エリア８３ａに格納されたメモリカードＩＤコード６５と不揮発メモリ２３に記憶されている個人識別ＩＤコード７２との組み合わせによって作成される。具体例を示せば、メモリカードＩＤコード６５ａが「ｍｃ１」、個人識別ＩＤコード７２が「Ｒ１２３」の場合、データ取得ＩＤコード６４ａは、例えば「ｍｃ１Ｒ１２３」と作成される。なお、メモリカードＩＤコード６５ａ及びシリアルＩＤコード８２ａによってデータ取得ＩＤコード６４を作成するよう構成してもよい。
【００３４】
続いて、ステップＳ１６において作成されたデータ取得ＩＤコード６４がＳＤメモリカード３０のＩＤ格納エリア８３ａに書込まれる（ステップＳ１７）。さらに、フォルダに対するアクセス回数を制限するアクセス制限回数データ７３が設定される（ステップＳ１８）。次いで、ＣＰＵ２６によって、フォルダと対応づけられたアクセス制限回数データ７３が不揮発メモリ２３の回数格納エリア８３ｂに記憶される（ステップＳ１９）。そして、ＳＤメモリカード３０がメモリカードＩＦ２１から取り外され（ステップＳ２０）、データ取得ＩＤコード６４がＳＤメモリカード３０に書込みされるステップが終了する。
【００３５】
なお、マルチファンクションシステム１０が複数のＳＤメモリカード３０で構成される場合は、システム管理者は、それぞれのＳＤメモリカード３０に対して、ステップＳ１１からステップＳ２０までを実行し、データ取得ＩＤコード６４を各ＳＤメモリカード３０に書込みすればよい。また、新たに文書データがＨＤＤ２２に記憶された場合は、その文書データが記憶されたフォルダと対応づけられたアクセス制限回数を設定し、アクセス制限回数データ７３を不揮発メモリ２３に記憶すればよい。
【００３６】
次に図６を参照し、システム利用者又はシステム管理者によって、アクセス制限回数データ７３がＳＤメモリカード３０に書込みされるステップについて説明する。
【００３７】
まず、ＳＤメモリカード３０がメモリカードＩＦ２１に装着される（ステップＳ２１）。次いで、ＣＰＵ２６によって、ＨＤＤ２２内のＩＤ格納エリア６２に格納されたデータ取得ＩＤコード６４ａ（以下、第１のデータ取得ＩＤコードという。）が読み出される（ステップＳ２２）。さらに、ＣＰＵ２６によって、ＳＤメモリカード３０内のＩＤ格納エリア８３ａに格納されたデータ取得ＩＤコード６４ａ（以下、第２のデータ取得ＩＤコードという。）が読み出される（ステップＳ２３）。
【００３８】
引き続き、ＣＰＵ２６によって、第１のデータ取得ＩＤコードと第２のデータ取得ＩＤコードとが比較される（ステップＳ２４）。第１のデータ取得ＩＤコードと第２のデータ取得ＩＤコードとが一致した場合は、ＣＰＵ２６によって、アクセス制限回数データ７３がＳＤメモリカード３０に書込まれ（ステップＳ２５）、第１のデータ取得ＩＤコードと第２のデータ取得ＩＤコードとが一致しなかった場合は、処理を終了する。
【００３９】
前述のステップＳ２５において、アクセス制限回数データ７３がＳＤメモリカード３０に書込まれることにより、ＳＤメモリカード３０を所有するシステム利用者は、ＳＤメモリカード３０をメモリカードＩＦ２１に装着した後、アクセス制限回数が設定されたフォルダ６１内の文書をアクセス制限回数以内の回数だけホスト端末装置５０で閲覧したり、ＳＤメモリカード３０にダウンロードしたりすることができるようになる。
【００４０】
なお、以上の説明では、記憶媒体をＳＤメモリカード３０で構成した例について説明したが、その他のフラッシュメモリカードについても同様に実施可能である。
【００４１】
以上のように、本実施の形態のマルチファンクションシステム１０によれば、ＣＰＵ２６は、第１のデータ取得ＩＤコードと第２のデータ取得ＩＤコードとが一致した場合は、アクセス制限回数データ７３をＳＤメモリカード３０に書込み、システム利用者はアクセス制限回数以内の回数だけ文書データの閲覧及びダウンロードができる構成としたので、従来利用者の認証に使用されていたＩＣカードリーダライタが不要になり、メモリカードＩＦ２１をプリント基板に実装する実装スペースを削減することができ、小型化及び低コスト化を図ることができる。
【００４２】
（第２の実施の形態）
本実施の形態のマルチファンクションシステム９０は、第１の実施の形態のマルチファンクションシステム１０と同様の構成であり、動作が異なるものである。したがって、同様の構成には同じ符号を付し、構成の説明は省略する。
【００４３】
次に、本実施の形態のマルチファンクションシステム９０の動作について、図７及び図８を参照して説明する。
【００４４】
最初に図７を参照し、システム管理者がホスト端末装置５０を操作することによって、時間ＩＤコードがＳＤメモリカード３０に書込みされるステップについて説明する。なお図７に示すように、ステップＳ１１からステップＳ１５までは第１の実施の形態のマルチファンクションシステム１０と同様のステップなので、同じ符号を付し説明は省略する。
【００４５】
ステップＳ１５においてメモリカードＩＤが入力された後、ＣＰＵ２６によって、不揮発メモリ２３の時刻データ７１が取得される（ステップＳ３１）。さらに、ＣＰＵ２６によって、時間ＩＤコード（設定認証情報）が作成される（ステップＳ３２）。そして、ＣＰＵ２６によって、作成された時間ＩＤコードがＳＤメモリカード３０のＩＤ格納エリア８３ａに書込まれる（ステップＳ３３）。
【００４６】
ここで、時間ＩＤコードは、例えば、ＳＤメモリカード３０のＩＤ格納エリア８３ａに格納されたメモリカードＩＤコード６５と不揮発メモリ２３の時刻データ７１に基づく時間情報との組み合わせによって作成される。この時間ＩＤコードによって、システム利用者が所定のフォルダにアクセスできる許容時間が設定され、アクセスできる時間、時間帯、期間等が制限される。具体例を以下に示す。
【００４７】
第１に、時間ＩＤコードがＳＤメモリカード３０のＩＤ格納エリア８３ａに格納されてから、システム利用者が所定のフォルダにアクセスできる時間を指定する例を挙げて説明する。例えば、メモリカードＩＤコード６５ａが「ｍｃ１」、現在の日付を２００３年１０月１日、現在の時刻を午前９時３０分、アクセスできる時間を７時間３０分とする場合、時間ＩＤコードは、例えば「ｍｃ１２００３１００１０９３００７３０」と作成される。この結果、システム利用者は、２００３年１０月１日の午前９時３０分から午後５時までの間、フォルダ６１ａにアクセスすることができる。
【００４８】
第２に、時間ＩＤコードがＳＤメモリカード３０のＩＤ格納エリア８３ａに格納された時刻とは無関係に、システム利用者が所定のフォルダにアクセスできる時間帯を指定する例を挙げて説明する。例えば、メモリカードＩＤコード６５ａが「ｍｃ１」、アクセスを許可する時間帯を午前９時から午後６時３０分までとする場合、時間ＩＤコードは、例えば「ｍｃ１０９００１８３０」と作成される。この結果、システム利用者は、毎日午前９時から午後６時３０分までの間、フォルダ６１ａにアクセスすることができる。
【００４９】
第３に、時間ＩＤコードがＳＤメモリカード３０のＩＤ格納エリア８３ａに格納されてから、システム利用者が所定のフォルダにアクセスできる有効期間を指定する例を挙げて説明する。例えば、メモリカードＩＤコード６５ａが「ｍｃ１」、現在の日付を２００３年１０月１日、現在の時刻を午前９時３０分、アクセスできる有効期間を現在の日付より５日間とする場合、時間ＩＤコードは、例えば「ｍｃ１２００３１００１０９３０００５」と作成される。この結果、システム利用者は、２００３年１０月１日の午前９時３０分から２００３年１０月６日の午前９時３０分までの間、フォルダ６１ａにアクセスすることができる。
【００５０】
次に図８を参照し、システム利用者によって、所定のフォルダ内の文書データがＳＤメモリカード３０にダウンロードされるステップについて説明する。
【００５１】
まず、ＳＤメモリカード３０がメモリカードＩＦ２１に装着される（ステップＳ４１）。次いで、ダウンロードしたいフォルダが選択される（ステップＳ４２）。次いで、ＣＰＵ２６によって、不揮発メモリ２３から現在の時刻データ７１が取得される（ステップＳ４３）。さらに、ＣＰＵ２６によって、ＳＤメモリカード３０のＩＤ格納エリア８３ａに格納された時間ＩＤコードが読み出される（ステップＳ４４）。
【００５２】
引き続き、ＣＰＵ２６によって、現在の時刻データ及び時間ＩＤコードに基づき、所定のフォルダにアクセスできる許容時間内か否かが判断される（ステップＳ４５）。
【００５３】
例えば、時間ＩＤによって、アクセスを許可する時間帯が午前９時から午後６時３０分までに指定されている場合、現在の時刻が午前１１時２０分のときは許容時間内と判断され、現在の時刻が午後９時５０分のときは許容時間内と判断されない。
【００５４】
ステップＳ４５において、所定のフォルダにアクセスできる許容時間内と判断された場合は、そのフォルダ内の文書データがＳＤメモリカード３０のデータ格納エリア８３ｃにダウンロードされる（ステップＳ４６）。一方、ステップＳ４５において、所定のフォルダにアクセスできる許容時間内と判断されなかった場合は、処理を終了する。
【００５５】
なお、ステップＳ４１のＳＤカード３０がメモリカードＩＦ２１に装着された以降において、ＳＤメモリカード３０が使用された履歴を残すよう構成してもよい。
【００５６】
以上のように、本実施の形態のマルチファンクションシステム９０によれば、ＣＰＵ２６は、時間ＩＤコードをＳＤメモリカード３０のＩＤ格納エリア８３ａに格納し、アクセスが許可された許容時間内であればシステム利用者がダウンロードすることができる構成としたので、従来利用者の認証に使用されていたＩＣカードリーダライタが不要になり、メモリカードＩＦ２１をプリント基板に実装する実装スペースを削減することができ、小型化及び低コスト化を図ることができる。
【産業上の利用可能性】
【００５７】
以上のように、本発明にかかるファイルサーバ装置は、小型化及び低コスト化を図ることができるという効果を有し、文書ファイルを記憶するファイルサーバ装置等として有用である。
【図面の簡単な説明】
【００５８】
【図１】本発明の第１の実施の形態のマルチファンクションシステムのブロック図
【図２】ＨＤＤの記憶領域の構成例を示す図
【図３】不揮発メモリの構成例を示す図
【図４】ＳＤメモリカードの構成例を示す図
【図５】本発明の第１の実施の形態のマルチファンクションシステムのデータ取得ＩＤコードを書込むステップのフローチャート
【図６】本発明の第１の実施の形態のマルチファンクションシステムのアクセス制限回数データを書込むステップのフローチャート
【図７】本発明の第２の実施の形態のマルチファンクションシステムの時間ＩＤコードを書込むステップのフローチャート
【図８】本発明の第２の実施の形態のマルチファンクションシステムの文書データをダウンロードするステップのフローチャート
【符号の説明】
【００５９】
１０、９０  マルチファンクションシステム
２０  マルチファンクション装置
２１  メモリカードＩＦ（記憶媒体接続手段）
２２  ＨＤＤ（データ記憶手段）
２３  不揮発メモリ
２４  エンジン
２５  ネットワークＩＦ（通信手段）
２６  ＣＰＵ（制限回数書込手段、ダウンロード判断手段）
３０  ＳＤメモリカード（記憶媒体）
４０  ネットワーク
５０  ホスト端末装置（端末装置）
６０  記憶領域
６１（６１ａ〜６１ｎ）  フォルダ
６２（６２ａ〜６２ｎ）  ＩＤ格納エリア
６３（６３ａ〜６３ｎ）  フォルダＩＤコード
６４（６４ａ〜６４ｎ）  データ取得ＩＤコード
６５（６５ａ〜６５ｎ）  メモリカードＩＤコード
７１  時刻データ
７２  個人識別ＩＤコード
７３  アクセス制限回数データ
８１  コントロールＩＣ
８２  ＲＯＭ
８２ａ  シリアルＩＤコード
８２ｂ  製造日時データ
８３  フラッシュメモリ
８３ａ  ＩＤ格納エリア
８３ｂ  回数格納エリア
８３ｃ  データ格納エリア
【図１】
2005092433.tif 000003
【図２】
2005092433.tif 000004
【図３】
2005092433.tif 000005
【図４】
2005092433.tif 000006
【図５】
2005092433.tif 000007
【図６】
2005092433.tif 000008
【図７】
2005092433.tif 000009
【図８】
2005092433.tif 000010